【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
二つの地上局位置にあるトランシーバ間のデータ通信用の無線ルートを提供するための、地球を周回する二つ以上の衛星を備える無線通信システムであって、衛星および地上局のそれぞれが前記システムのノードを含み、複数の前記衛星のそれぞれは、
少なくとも一つの地上局から初期情報信号を受信し、二つ以上の衛星アンテナから更なる情報信号を送信するための複数の衛星アンテナであって、各アンテナが、互いに異なる複数の方向において無線信号を送信し、互いに異なる複数の方向において無線信号を受信するように構成される、複数の衛星アンテナと、
（ｉ）前記衛星が初期情報信号を受信した地上局を特定するアドレス情報と、（ｉｉ）前記衛星が前記初期情報信号を受信した前記衛星アンテナの識別子と、（ｉｉｉ）前記アンテナが前記初期情報信号を受信した方向と、を保持するためのアンテナペアリング回路と、
複数の前記衛星アンテナから更なる情報信号を送信するためのルート生成回路であって、前記更なる情報信号が、（ｉ）前記初期情報信号を送信した前記地上局を特定する前記アドレス情報を含むリンキング情報と、（ｉｉ）前記保持されたアドレス情報によって特定される前記地上局への無線ルートにおけるノードとしての前記衛星の適切性を示す前記受信された初期情報信号の特性と、を含む、ルート生成回路と、を含む無線通信システム。
【請求項２】
前記二つ以上の衛星アンテナのそれぞれが、互いに異なる複数の方向において無線信号を送信し、対応する前記異なる方向において無線信号を受信する複数のフィードを伴うリフレクタを有し、前記アンテナペアリング回路は、前記衛星が前記初期情報信号を受信した前記フィードを保持し、前記リンキング情報は、前記更なる情報信号を送信する前記衛星を特定する請求項１に記載のシステム。
【請求項３】
前記衛星アンテナのそれぞれの対応するフィードは、前記アンテナの軸に対して実質的に同じ角度で無線信号を送信するために、前記アンテナのリフレクタに対して実質的に同じ角度姿勢で配置される請求項２に記載のシステム。
【請求項４】
前記衛星アンテナが、前記衛星のそれぞれを取り囲む実質的に全ての球面空間の周りの二つ以上の方向において無線信号を送受信するよう構成される請求項１に記載のシステム。
【請求項５】
前記衛星アンテナが、前記衛星のそれぞれを取り囲む球面空間全体よりも少ない部分の周りの二つ以上の方向において無線信号を送受信するよう構成される請求項１に記載のシステム。
【請求項６】
前記衛星ノードが第１タイプとして選定され、前記地上局ノードが第２タイプとして選定され、同じタイプのノードが互いに通信しない請求項１に記載のシステム。
【請求項７】
前記更なる情報信号が、デジタルデータのパケットを含むルーティングメッセージであり、
各パケットが、
前記リンキング情報と前記受信された初期情報信号の前記特性とを含むヘッダと、
ルーティングメッセージを受信する別のノードによって、前記衛星から受信された前記ルーティングメッセージの前記特性を決定するために用いられるサンプルデータストリームを含むペイロードと、を含み、前記受信されたルーティングメッセージの前記特性は、前記サンプルデータストリームの誤り率に少なくとも部分的に基づく定量的性能指数として表現される請求項１に記載のシステム。
【請求項８】
前記衛星は、回転軸の周りを回転する請求項１に記載のシステム。
【請求項９】
複数の所定の前記衛星が回転軸の周りの第１向きに回転し、複数の第２の所定の前記衛星が回転軸の周りの第２向きに回転する請求項８に記載のシステム。
【請求項１０】
所定数の前記衛星が反対向きに回転する請求項９に記載のシステム。
【請求項１１】
前記衛星は、姿勢制御なしでランダムな軌道で地球を周回する、請求項１に記載のシステム。
【請求項１２】
前記衛星は、非制御軌道で地球を周回する、請求項１に記載のシステム。
【請求項１３】
請求項１に記載のシステムを介して受信地上局から送信地上局へのデータ通信用の無線通信ルートを生成するための方法であって、前記地上局が、複数の異なる方向において無線信号を送受信するための少なくとも一つの地上局方向性アンテナを含み、前記特性が、前記初期情報信号の品質であり、前記方法は、
（ａ）少なくとも一つの衛星の衛星アンテナにおいて、送信地上局のアンテナから送信された初期情報信号を受信することと、
（ｂ）前記初期情報信号を受信した衛星のいずれかにおいて、少なくとも、（ｉ）前記衛星が初期情報信号を受信した前記地上局を特定するアドレス情報と、（ｉｉ）前記衛星が前記初期情報信号を受信した前記衛星アンテナの識別子と、（ｉｉｉ）前記アンテナが前記初期情報信号を受信した方向と、を保持することと、
（ｃ）前記初期情報信号を受信した少なくとも一つの衛星の複数の前記アンテナから前記更なる情報信号を送信することであって、前記更なる情報信号が、（ｉ）前記初期情報信号を送信した前記地上局を特定する前記アドレス情報を含むリンキング情報と、（ｉｉ）前記保持されたアドレス情報によって特定される前記地上局への前記無線ルートにおけるノードとしての前記衛星の適切性を示す前記受信された初期情報信号の前記品質と、を含むルーティングメッセージを含む、ことと、
（ｄ）少なくとも一つのルーティングメッセージを受信した受信地上局において、（ｉ）前記ルーティングメッセージが受信された受信地上局アンテナの識別子と、（ｉｉ）前記ルーティングメッセージを送信した前記衛星において受信された前記初期情報信号の前記品質と、を保持することと、
（ｅ）特定の衛星を介した前記受信地上局から前記送信地上局へのデータ通信用の無線ルートの品質を、（ｉ）前記地上局の間の無線ルートにおけるノードとしての前記特定の衛星の適切性を示す前記受信地上局において受信された前記ルーティングメッセージの品質と、（ｉｉ）前記初期情報信号の前記品質と、に基づいて決定することと、を含む方法。
【請求項１４】
前記衛星がノードの第１タイプとして選定され、前記地上局がノードの第２タイプとして選定され、同じタイプのノードが互いに通信しない請求項１３に記載の方法。
【請求項１５】
前記受信地上局から前記送信地上局へのデータ伝送を送信することをさらに含む、請求項１４に記載の方法。
【請求項１６】
前記衛星アンテナの全てが、互いに異なる複数の方向において無線信号を送信し、対応する前記異なる方向において無線信号を受信する複数のフィードを伴うリフレクタを有する請求項１３に記載の方法。
【請求項１７】
前記衛星アンテナのそれぞれの対応するフィードは、前記アンテナの軸に対して実質的に同じ角度で無線信号を送信するために、前記アンテナのリフレクタに対して実質的に同じ角度姿勢で配置される請求項１６に記載の方法。
【請求項１８】
前記衛星アンテナが、前記衛星のそれぞれを取り囲む球面空間の周りの二つ以上の方向において無線信号を送受信するよう構成される請求項１３に記載の方法。
【請求項１９】
前記決定するステップが、制御コンピュータが前記衛星または他の地上局と通信することなく、前記受信地上局によって行われる請求項１３に記載の方法。
【請求項２０】
請求項１に記載のシステムを介して二つ以上の衛星を含む無線通信ルートを生成する方法であって、前記ルートは複数の衛星を含み、前記特性は、前記初期情報信号の品質であり、前記更なる情報信号は、ルーティングメッセージであり、前記方法は、
（ａ）前記初期情報信号を受信した第１衛星Ｎ１の複数の前記アンテナから第１ルーティングメッセージを送信することと、
（ｂ）第２衛星Ｎ２において、第１アンテナと第２アンテナとのそれぞれが前記第１ルーティングメッセージを受信する一つ以上のメッセージ方向を特定することと、
（ｃ）前記第２衛星Ｎ２において、前記第１アンテナの、最高品質の信号を伴う前記メッセージ方向と、前記第２アンテナの、最高品質の信号を伴う前記メッセージ方向と、を選定することと、
（ｄ）前記選定されたメッセージ方向のなかから、より高い信号品質を伴う衛星Ｎ２の前記アンテナおよび方向を選択することと、
（ｅ）前記衛星Ｎ２において、ステップ（ｄ）で選択された前記アンテナおよび方向を保持することと、
（ｆ）ステップ（ｄ）で選択された前記より高い信号品質と、前記初期情報信号の前記信号品質とを示す第２ルーティングメッセージを前記衛星Ｎ２から送信することと、を含む方法。
【請求項２１】
二つの地上局にあるトランシーバ間のデータ通信用の無線ルートを提供するための、地球を周回する二つ以上の衛星を備える無線通信システムで使用するための地上局であって、複数の前記衛星のそれぞれは、（ａ）少なくとも一つの地上局から初期情報信号を受信し、更なる情報信号を送信するための複数の衛星アンテナと、（ｂ）前記衛星が初期情報信号を受信した地上局を特定するアドレス情報と、前記衛星が前記初期情報信号を受信した前記衛星アンテナの識別子と、を保持するためのアンテナペアリング回路と、（ｃ）複数の前記衛星アンテナから更なる情報信号を送信するためのルート生成回路であって、前記更なる情報信号が、（ｉ）前記初期情報信号を送信した前記地上局を特定する前記アドレス情報を含むリンキング情報と、（ｉｉ）前記保持されたアドレス情報によって特定される前記地上局への無線ルートにおけるノードとしての前記衛星の適切性を示す前記受信された初期情報信号の特性と、を含む、ルート生成回路と、を含み、前記地上局は、
複数の異なる方向において前記アドレス情報とともに初期情報信号を送信し、初期情報信号を送信した異なる地上局を特定するアドレス情報を含むリンキング情報を前記衛星の少なくとも一つから受信する少なくとも一つの方向性アンテナを含む、地上局。
【請求項２２】
前記衛星が姿勢制御なしでランダムな軌道で地球を周回する無線通信システムで使用するための請求項２１に記載の地上局。
【請求項２３】
前記衛星が非制御軌道で地球を周回する無線通信システムで使用するための請求項２１に記載の地上局。